(57)【要約】【課題】 フリーソフトによるインターネットを介した広告配信方法およびシステムを提供する。【解決手段】 本方法は、フリーソフトの作者が、開発したフリーソフトを、広告配信サイトから入手した変換プログラムにより、変換するステップと、その後、一般ユーザーが、変換されたフリーソフトを実行すると、広告配信サイトと通信を行い、広告情報を受信するステップと、広告情報を一般ユーザーの情報処理装置画面上に表示するステップと、を含む。【選択図】図１
2007304865.tif 000002
【特許請求の範囲】
【請求項１】
フリーソフトを利用する一般ユーザーに、インターネット上の特定の広告配信サイトから広告情報を提供する方法であって、前記フリーソフトの作者が、開発した前記フリーソフトを、前記広告配信サイトから入手した変換プログラムにより、変換するステップと、その後、前記一般ユーザーが、前記変換されたフリーソフトを実行すると、前記広告配信サイトと通信を行い、広告情報を受信するステップと、前記広告情報を前記一般ユーザーの情報処理装置画面上に表示するステップと、を含む方法。
【請求項２】
前記変換プログラムにより、変換するステップにおいて、前記変換されるフリーソフトをさらに暗号化するステップと、前記一般ユーザーが、前記変換されたフリーソフトを実行する時、前記暗号化されたフリーソフトを復号化するステップと、をさらに含むことを特徴とする請求項１に記載の方法。
【請求項３】
前記広告情報が、広告メッセージおよび前記広告メッセージに関連したリンク先ＵＲＬを含む請求項１または２に記載の方法。
【請求項４】
前記広告情報を表示するステップが、複数の広告メッセージを時間の経過とともに表示し、表示中の広告メッセージをマウスでクリックすることにより、前記広告メッセージに関連したリンク先ＵＲＬにアクセスすることができるステップをさらに含む請求項３に記載の方法。
【請求項５】
前記広告情報が、広告イメージおよび前記広告イメージに関連したリンク先ＵＲＬを含む請求項１または２に記載の方法。
【請求項６】
前記広告情報を表示するステップが、複数の広告イメージを時間の経過とともに表示し、表示中の広告イメージをマウスでクリックすることにより、前記広告イメージに関連したリンク先ＵＲＬにアクセスすることができるステップをさらに含む請求項５に記載の方法。
【請求項７】
フリーソフトを利用する一般ユーザーに、インターネット上の特定の広告配信サイトから広告情報を提供するシステムであって、前記フリーソフトの作者が、開発した前記フリーソフトを、前記広告配信サイトから入手した変換プログラムにより、変換する動作部と、その後、前記一般ユーザーが、前記変換されたフリーソフトを実行すると、前記広告配信サイトと通信を行い、広告情報を受信する動作部と、前記広告情報を前記一般ユーザーの情報処理装置画面上に表示する動作部と、を含むシステム。
【請求項８】
前記変換プログラムにより、変換する動作部において、前記変換されるフリーソフトをさらに暗号化する動作部と、前記一般ユーザーが、前記変換されたフリーソフトを実行する時、前記暗号化されたフリーソフトを復号化する動作部と、をさらに含むことを特徴とする請求項７に記載のシステム。
【請求項９】
前記広告情報が、広告メッセージおよび前記広告メッセージに関連したリンク先ＵＲＬを含む請求項７または８に記載のシステム。
【請求項１０】
前記広告情報を表示する動作部が、複数の広告メッセージを時間の経過とともに表示し、表示中の広告メッセージをマウスでクリックすることにより、前記広告メッセージに関連したリンク先ＵＲＬにアクセスすることができる動作部をさらに含む請求項９に記載のシステム。
【請求項１１】
前記広告情報が、広告イメージおよび前記広告イメージに関連したリンク先ＵＲＬを含む請求項７または８に記載のシステム。
【請求項１２】
前記広告情報を表示する動作部が、複数の広告イメージを時間の経過とともに表示し、表示中の広告イメージをマウスでクリックすることにより、前記広告イメージに関連したリンク先ＵＲＬにアクセスすることができる動作部をさらに含む請求項１１に記載のシステム。
【発明の詳細な説明】
【技術分野】
【０００１】
本発明はフリーソフトに広告配信機能を付加し、一般ユーザーがフリーソフト実行中は、インターネット上の広告配信サイトから受信した広告メッセージを、前記一般ユーザーの情報処理装置画面上に表示する技術と、フリーソフト作者、前記フリーソフトを利用している一般ユーザー、広告配信サイト運営者、広告主およびオンラインソフト配布サイトとの間のビジネスモデルに関するものである。
【背景技術】
【０００２】
インターネット利用者が爆発的に増加するに伴い、アプリケーションソフトも従来のパッケージソフト（ CD-ROMなどのメディアに記録され、店頭で販売されている
ソフトウェア）等の従来型のソフト販売方法とは別に、オンラインで販売・配布されるソフト（以下、「オンラインソフト」という）が急激に増加している。
【０００３】
オンラインソフトには、前記パッケージソフトを料金前払いでダウンロードする方式と、シェアウェア（一定の試用期間を設け、試用期間後も継続して使いたい場合は代金の支払いを要求するソフト）の方式と、フリーソフト（使用に制限が無い無料ソフト）の方式に大別できる。
【０００４】
前記オンラインソフトにおいて、フリーソフト以外の代金の支払いを要するオンラインソフト（シェアウェア等）は、利用している一般ユーザーとのソフト代金の収受に関して、オンラインソフト作成者、一般ユーザー、および仲介者にコスト的にも時間的にも余分な負担を強いてきた。
【０００５】
特にシェアウェアの料金は、５００〜１０００円程度と安価に設定されていて、シェアウェア作者、代金支払いを仲介するオンラインソフト配布サイト運営者、シェアウェア利用者にとってコスト的に割りの合わない形態になっていた。
【０００６】
フリーソフトは、一般ユーザーがオンライン配布サイトから自由にダウンロードでき、期限無制限で、且つ無料で使用することができる。しかし、フリーソフトは作者がソフトを好意で公開してくれているものなので、動作の保証は無く、仮にソフトの不具合やバグがあったとしても、作者には修正する義務はない。このような特質により、フリーソフトの一般的印象として、ソフトウェアとしての品質には、信頼性に欠ける面があり、一般ユーザーもビジネスなどでの安定的、継続的使用は困難であると認識していた。したがって、フリーソフトの利用に関しては、やや信頼性に欠けるソフトでも、さほど利用に支障がないゲームでの利用が多かった。
【０００７】
そこで、このような問題点を解決するために、「主分散コンピューティング環境における実行ファイル及びオプションファイルを有するレンタルソフトウェアプログラムを行う方法において、a)インストール-フリーベースのユーザコンピューターシステムとサーバーコンピューターシステムとの間に通信を行うステップと、b)前記サーバーコンピューターシステムからダウンロードしたレンタルソフトウェアプログラムの目録をディスプレーするステップと、c)前記レンタルソフトウェアプログラムの目録から要求されるレンタルソフトウェアプログラムを選択するステップと、d)前記主実行ファイルに対応するプロセスを実行するために要求されたレンタルソフトウェアプログラムと関連した主実行ファイルを、前記サーバーコンピューターシステムからダウンロードするステップと、e)前記プロセスが一つ以上のオプションファイルを必要とする場合、前記サーバーコンピューターシステムからそのオプションファイルをダウンロードするステップとを含む。」方法である。しかしながら、この方法では、レンタルソフトウェアプログラムという方法の為、基本的に一般ユーザーにソフトウェアの使用代金が課金される。また、インストール済みのソフトをレンタルし、レジストリ情報の変換によりセットアップすることにより、ソフトメーカーとの知的財産権の問題が発生する。前記知的財産権の問題が解決したとしても、ソフトメーカーとのインストールに関する技術的問題の交渉が必要になる。
【特許文献１】特願２０００−５９７６９８（Ｐ２０００−５９７６９８）「分散コンピューティング環境におけるレンタルソフトウェアプログラムを実行するためのシステム及びその方法」
【発明の開示】
【発明が解決しようとする課題】
【０００８】
解決しようとする問題点は、フリーソフトの利便性に拘わらず、フリーソフトの増加、普及、利用が促進されないことである。
【０００９】
本発明はこのような従来技術の問題点を改善されるべく開発されたもので、フリーソフト作者は、開発したフリーソフトを広告配信サイトから入手した変換プログラムにより、変更し変換済フリーソフトとして配布する。一般ユーザーは変換済フリーソフトを入手し、実行すると、広告配信サイトと通信を行い、広告情報を受信し、該広告情報を一般ユーザーの情報処理装置画面上に表示し、該フリーソフトを実行する。
【００１０】
本発明により、一般ユーザーは多数のソフトウェアを無料で利用でき、また、従来フリーソフトを提供していたフリーソフト作者が広告収入を得ることで、フリーソフトの信頼性、高度化が期待できる。さらに、従来有料で提供していた信頼性のあるオンラインソフトを、広告を表示することにより、フリーソフトとして無料で提供することが可能となり、より一層の普及が見込める。
【課題を解決するための手段】
【００１１】
上記課題を解決するため、請求項１に記載の発明においては、
フリーソフトを利用する一般ユーザーに、インターネット上の特定の広告配信サイトから広告情報を提供する方法であって、前記フリーソフトの作者が、開発した前記フリーソフトを、前記広告配信サイトから入手した変換プログラムにより、変換するステップと、その後、前記一般ユーザーが、前記変換されたフリーソフトを実行すると、前記広告配信サイトと通信を行い、広告情報を受信するステップと、前記広告情報を前記一般ユーザーの情報処理装置画面上に表示するステップと、を含む方法であることを特徴としている。
【００１２】
また、上記課題を解決するため、請求項２に記載の発明においては、
前記変換プログラムにより、変換するステップにおいて、前記変換されるフリーソフトをさらに暗号化するステップと、前記一般ユーザーが、前記変換されたフリーソフトを実行する時、前記暗号化されたフリーソフトを復号化するステップと、をさらに含むことを特徴とする請求項１に記載の方法であることを特徴としている。
【００１３】
また、上記課題を解決するため、請求項３に記載の発明においては、
前記広告情報が、広告メッセージおよび前記広告メッセージに関連したリンク先ＵＲＬを含む請求項１または２に記載の方法であることを特徴としている。
【００１４】
また、上記課題を解決するため、請求項４に記載の発明においては、
前記広告情報を表示するステップが、複数の広告メッセージを時間の経過とともに表示し、表示中の広告メッセージをマウスでクリックすることにより、前記広告メッセージに関連したリンク先ＵＲＬにアクセスすることができるステップをさらに含む請求項３に記載の方法であることを特徴としている。
【００１５】
また、上記課題を解決するため、請求項５に記載の発明においては、
前記広告情報が、広告イメージおよび前記広告イメージに関連したリンク先ＵＲＬを含む請求項１または２に記載の方法であることを特徴としている。
【００１６】
また、上記課題を解決するため、請求項６に記載の発明においては、
前記広告情報を表示するステップが、複数の広告イメージを時間の経過とともに表示し、表示中の広告イメージをマウスでクリックすることにより、前記広告イメージに関連したリンク先ＵＲＬにアクセスすることができるステップをさらに含む請求項５に記載の方法であることを特徴としている。
【００１７】
また、上記課題を解決するため、請求項７に記載の発明においては、
フリーソフトを利用する一般ユーザーに、インターネット上の特定の広告配信サイトから広告情報を提供するシステムであって、前記フリーソフトの作者が、開発した前記フリーソフトを、前記広告配信サイトから入手した変換プログラムにより、変換する動作部と、その後、前記一般ユーザーが、前記変換されたフリーソフトを実行すると、前記広告配信サイトと通信を行い、広告情報を受信する動作部と、前記広告情報を前記一般ユーザーの情報処理装置画面上に表示する動作部と、を含むシステムであることを特徴としている。
【００１８】
また、上記課題を解決するため、請求項８に記載の発明においては、
前記変換プログラムにより、変換する動作部において、前記変換されるフリーソフトをさらに暗号化する動作部と、前記一般ユーザーが、前記変換されたフリーソフトを実行する時、前記暗号化されたフリーソフトを復号化する動作部と、をさらに含むことを特徴とする請求項７に記載のシステムであることを特徴としている。
【００１９】
また、上記課題を解決するため、請求項９に記載の発明においては、
前記広告情報が、広告メッセージおよび前記広告メッセージに関連したリンク先ＵＲＬを含む請求項７または８に記載のシステムであることを特徴としている。
【００２０】
また、上記課題を解決するため、請求項１０に記載の発明においては、
前記広告情報を表示する動作部が、複数の広告メッセージを時間の経過とともに表示し、表示中の広告メッセージをマウスでクリックすることにより、前記広告メッセージに関連したリンク先ＵＲＬにアクセスすることができる動作部をさらに含む請求項９に記載のシステムであることを特徴としている。
【００２１】
また、上記課題を解決するため、請求項１１に記載の発明においては、
前記広告情報が、広告イメージおよび前記広告イメージに関連したリンク先ＵＲＬを含む請求項７または８に記載のシステムであることを特徴としている。
【００２２】
また、上記課題を解決するため、請求項１２に記載の発明においては、
前記広告情報を表示する動作部が、複数の広告イメージを時間の経過とともに表示し、表示中の広告イメージをマウスでクリックすることにより、前記広告イメージに関連したリンク先ＵＲＬにアクセスすることができる動作部をさらに含む請求項１１に記載のシステムであることを特徴としている。
【発明の効果】
【００２３】
本発明は、フリーソフトに広告表示機能を付加することができるので、一般ユーザーは多数のソフトウェアを無料で利用できる。また、従来フリーソフトを提供していたフリーソフト作者が広告収入を得ることで、フリーソフトの信頼性、高度化が期待できる。さらに、従来有料で提供していた信頼性のあるオンラインソフトを、広告を表示することにより、フリーソフトとして無料で提供することが可能となり、より一層の普及が見込める。広告主には、その広告意図に適合したフリーソフトに広告情報を設定することができるので、コストパフォーマンスに優れた広告効果が期待できる。
【発明を実施するための最良の形態】
【００２４】
以下、本発明の好適な実施形態として、図示例と共に説明する。ただし、本実施形態は本発明を簡便に説明するために提示しており、実際の適用には変更ならびに修正が当然なされうるものである。したがって、本発明は、本発明の特定の実施形態に限定されないことを理解されたい。
【００２５】
図１は本発明の概略図である。本実施例はフリーソフトを暗号化し、実行時に復号化する例で示した。
【００２６】
フリーソフト作者３は、開発したフリーソフトを広告配信サイト１から入手した変換プログラムにより、変換および暗号化し変換済フリーソフトとして、インターネット上のオンラインソフト配布サイト２、又は、コンピュータ可読媒体により、配布する。一般ユーザー４は前記オンラインソフト配布サイト２、又はコンピュータ可読媒体から変換済フリーソフトを入手する。一般ユーザー４が前記変換済フリーソフトを実行すると、広告配信サイト１と通信を行い、広告情報を受信し、該広告情報を一般ユーザー４の情報処理装置画面上に表示し、暗号化されたフリーソフトを復号化し、該フリーソフトを実行する。広告主５は、広告配信サイト１に登録された前記変換済フリーソフトにフリーソフト作者の許諾を得て広告情報を登録する。
【００２７】
広告配信サイト１は、図に示すごとく、作者データベース、作品データベース、広告データベース等が構築されており、随時更新されている。
【００２８】
一般ユーザー４は、フリーソフトを実行する環境であり、情報処理装置とあるように、パソコンに限らず、ＰＤＡ、携帯電話などのモバイルも含む。
【００２９】
図２を参照すると、広告配信サイト１１におけるフリーソフト作者１２の作者登録の概要が図示されている。フリーソフト作者１２は、まずＷｅｂブラウザにより、Ｗｅｂ上で広告配信サイト１１にアクセスして、作者登録を行う。その時、フリーソフト作者１２は広告配信サイト１１から作者ＩＤ等を取得する。また、フリーソフト作者１２は、フリーソフトを変換するための変換プログラムをサイト１１からダウンロードする。
【００３０】
図３は、図２に示した方法で作者登録を行ったフリーソフト作者が、広告配信用に変換された変換済フリーソフト２５を作成する手順についての詳しい説明である。フリーソフト作者は前記ダウンロードした変換プログラム２２により、前記作者ＩＤ等を広告配信サイト２１に送信し、広告配信サイト２１が作成した当該フリーソフト用の作品ＩＤ等を取得する。さらに、フリーソフト２４の主実行ファイルの１部、または全部を暗号化（２７）する。その暗号化されたフリーソフト２４を実行させるコンテナプログラム２３を生成（２６）する。
【００３１】
図中のフリーソフト２４は、ソフトウェアとして一般ユーザーの情報処理装置内で実際に実行可能なソフトウェアの総体であり、その構成要素として、実行ファイル、各種データなどが含まれている。しかし、実際に暗号化するのは、主実行ファイルの１部、または全部を暗号化する。そして、フリーソフト作者がインストーラー開発ツール等により、前記生成したコンテナプログラム２３を主実行ファイルに指定し、暗号化されたフリーソフト２４を含むインストーラーを作成する。この配布用ソフト（変換済フリーソフト２５）は通常さらに圧縮されて配布されている。
【００３２】
本発明の好ましい実施形態では、前記変換済フリーソフトをインストーラー開発ツール等で作成したが、簡単なシステムではインストーラーは必要無く、実行ファイルだけの場合もある。この場合では、前記生成したコンテナプログラム２３を主実行ファイルに指定するだけである。
【００３３】
作成した変換済フリーソフト２５は、オンラインソフト配布サイト２８に登録し、一般ユーザーが自由に入手することができる。オンライン配布サイト２８には、「Ｖｅｃｔｏｒ」、「nifty」、「ＣＮＥＴ」等インターネット上多数存在している。また、ネット上での配布に限らずコンピュータ可読媒体により、配布することも可能である。また、オンライン配布サイト２８として、広告配信サイト２１も登録オンラインソフトを配布することができる。
【００３４】
図７は、変換プログラムのフローチャートである。まず、図３の広告配信サイト２１に作者ＩＤ等を送信し、認証を行う。次に、フリーソフト作品のデータ（ジャンル等）を送信し、作品ＩＤ等を取得する。さらに、当該フリーソフトを暗号化し、当該フリーソフト用のコンテナプログラムを生成する。最後に終了処理をする。
【００３５】
図４は、一般ユーザーがオンラインソフト配布サイト３１から前記変換済フリーソフトを入手し、当該フリーソフトを一般ユーザーの情報処理装置で実行する時の詳しい説明である。
【００３６】
一般ユーザーはオンラインソフト配布サイト３１、またはコンピュータ可読媒体から前記変換済フリーソフトを入手し、一般ユーザーの情報処理装置において、変換済フリーソフトを実行する。その時、最初に起動する実行ファイルはコンテナプログラム３３であり、フリーソフト作者が作成したフリーソフト３４はコンテナプログラム３３から起動される。
【００３７】
コンテナプログラム３３は、広告配信サイト３２とインターネットを介して通信を行い、作品ＩＤ等を送信し、広告配信サイト３２内の当該作品ＩＤに関連付けられている広告情報を受信し、一般ユーザーの情報処理装置のローカルストレージに保存する。それから前記広告情報を一般ユーザーの情報処理装置画面上に表示する。さらに、暗号化されたフリーソフト３４を復号化し、フリーソフト３４を実行させる。フリーソフト３４の実行が終了すると、コンテナプログラム３３も終了する。
【００３８】
コンテナプログラム３３が、広告配信サイト３２と通信を行えない場合、前回実行して、一般ユーザーの情報処理装置内のローカルストレージに保存されている広告情報を、一般ユーザーの情報処理装置画面上に表示する。
【００３９】
図６は、フリーソフトの実行画面例である。本例では、フリーソフトは「財務会計システム」であり、画面はメインメニューを表示している。この画面において、前記コンテナプログラムが表示している広告情報はウインドウ５１に表示されていて、常に最前面に表示されている。また、広告情報は複数あるので、時間の経過と共に表示内容が変化する。
【００４０】
広告情報ウインドウ５１はフリーソフトを利用している一般ユーザーの操作により、画面上どこにも移動可能であり、且つサイズが可変である。ただし、最小サイズは保持している。その位置情報、サイズ情報は一般ユーザーの情報処理装置のローカルストレージに記録されていて、次回起動時に反映される。
【００４１】
また、広告情報ウインドウ５１には、広告メッセージと共に、各広告主のリンク先ＵＲＬも対応付けられており、表示されている前記広告メッセージをマウスでクリックすることにより、リンク先のホームページを閲覧できる方式にしてもよい。
【００４２】
さらに、広告情報ウインドウ５１に表示する広告情報として、画像イメージをウインドウ５１に表示する形式にしてもよい。
【００４３】
さらに、広告情報ウインドウ５１に表示する広告情報として、フリーソフト作者による当該フリーソフトの最新情報をウインドウ５１に表示する形式にしてもよい。
【００４４】
図５は、広告主４２と広告配信サイト４１とフリーソフト作者４３の関係を図示している。広告主４２は、Ｗｅｂブラウザにより、Ｗｅｂ上で広告配信サイト４１にアクセスして、作品情報、統計情報等を検索し、広告目的に合致した適切な作品（フリーソフト）に広告情報を提供したい旨広告配信サイト４１に伝達する。広告配信サイト４１はフリーソフト作者４３に当該広告案件を送信し、承諾を得る。
【００４５】
広告配信サイト４１は広告料金を広告主４２から収受し、当該広告料金の一定割合をフリーソフト作者４３に送金する。
【００４６】
図８、図９、図１０を参照すると、図４における一般ユーザーの情報処理装置内における変換済フリーソフト（コンテナプログラムとフリーソフト）の実行過程をフローチャートで示している。
【００４７】
本実施形態のフローチャートは、マイクロソフトのＯＳ「ウインドウズ」環境において、ＥＸＥ形式で実行するプログラムをＶｉｓｕａｌＣ++で開発した例であり、開発環境、フリーソフトの形式により実施形態は異なる。
【００４８】
図８のフローチャートは、コンテナプログラムのフローチャートを図示している。まず広告配信サイトにインターネットを介してアクセスし、作品ＩＤを送信し、認証可であれば、当該フリーソフトに関連付けられた広告情報を取得し、ローカルストレージに保存する。次に、広告ウインドウを作成し、広告メッセージを前記ウインドウに表示する。次に、フリーソフトのプロセス（スレッド）を生成し、タイマーをセットし、メッセージループに入る。メッセージループが終了したら終了処理をする。
【００４９】
図９は図８におけるウインドウのメッセージ処理関数のフローチャートである。ある一定時間が経過して、タイマーメッセージを受け取ると、広告メッセージを表示する。またフリーソフトが終了した時発生させたメッセージを受け取ると、コンテナプログラムに終了メッセージを送る。
【００５０】
図１０はフリープロセス生成関数のフローチャートである。まず、暗号化されているフリーソフトをメモリにロードする。次に、前記フリーソフトを復号化し、該フリーソフトを実行する。そしてフリーソフトが終了するまで、待ちループに入る。フリーソフトが終了したら、コンテナプログラムに終了メッセージを送り、フリーソフトの終了処理を行う。
【００５１】
尚、広告配信サイトでのデータベースとして、作者データベース、作品データベース、広告データベースのみ例として図示したが、本発明の必要最低限のデータ定義であり、関連した補助データベース、項目などは割愛されている。
【図面の簡単な説明】
【００５２】
【図１】本発明の概略図である。
【図２】広告配信サイトにおけるフリーソフト作者の作者登録の概要図である。
【図３】フリーソフト作者が変換済フリーソフトを作成する手順についての詳しい説明である。
【図４】一般ユーザーが変換済フリーソフトを入手し、実行する時の詳しい説明である。
【図５】広告主と広告配信サイトとフリーソフト作者の関係を示している概略図である。
【図６】フリーソフトの実行画面例である。
【図７】変換プログラムのフローチャートである。
【図８】コンテナプログラムのフローチャートである。
【図９】コンテナプログラムのメッセージ処理関数のフローチャートである。
【図１０】フリーソフトのスレッド生成のフローチャートである。
【符号の説明】
【００５３】
１  
広告配信サイト
２  
オンラインソフト配布サイト
３  
フリーソフト作者
４  一般ユーザー
５  広告主
１１  広告配信サイト
１２  フリーソフト作者
２１  広告配信サイト
２２  フリーソフト作者
２３  コンテナプログラム
２４  フリーソフト
２５  変換済フリーソフト
２６  生成
２７  暗号化
２８  オンラインソフト配布サイト
３１  オンラインソフト配布サイト
３２  広告配信サイト
３３   コンテナプログラム
３４  フリーソフト
３５  開始指示
３６  終了指示
４１  広告配信サイト
４２  広告主
４３  フリーソフト作者
５１  広告メッセージウインドウ
【図１】
2007304865.tif 000003
【図２】
2007304865.tif 000004
【図３】
2007304865.tif 000005
【図４】
2007304865.tif 000006
【図５】
2007304865.tif 000007
【図６】
2007304865.tif 000008
【図７】
2007304865.tif 000009
【図８】
2007304865.tif 000010
【図９】
2007304865.tif 000011
【図１０】
2007304865.tif 000012